(57)【要約】【課題】  液晶パネルの交換を容易に行える液晶表示装置を提供する。【解決手段】  液晶パネル３は、バックライト２やその光学フィルム群２３など他の構成要素を固定するテープとは、別のテープを介してフレーム１と接着固定されているため、液晶パネルを接着するテープをはがしても、バックライト２や光学フィルムには、影響を与えず、それらの破損が防止される。これにより、作業者は、バックライト２等の光学機能を損なわずに、液晶パネル３の交換を容易に行うことができる。また、このように、液晶パネル３のみをリペア可能とすれば、仕損費が減少するため、製造コストを削減することができるようになる。【選択図】  図２
2008203444.tif 000002
【特許請求の範囲】
【請求項１】
バックライトと、
前記バックライトによって照明される液晶パネルと、
前記バックライトと、前記液晶パネルとを、この順で搭載するフレームと、
前記バックライトと前記フレームとを接着し、前記バックライトからの光が周囲から漏れるのを防止する遮光接着テープと、を備え、
前記液晶パネルは、前記遮光接着テープとは別の両面テープによって前記フレームと接着されている液晶表示装置。
【請求項２】
前記液晶パネルを構成する２枚のガラス基板のうちの裏側のガラス基板が、そのガラス基板に貼り付けられた偏光板と重なり合わない領域を有し、
前記両面テープは、前記重なり合わない領域に貼り付けられることにより、前記液晶パネルと前記フレームとを接着することを特徴とする請求項１に記載の液晶表示装置。
【発明の詳細な説明】
【技術分野】
【０００１】
本発明は、バックライト及び液晶パネルと、それらを搭載するフレームとが、テープを介して接着固定された構造を有する液晶表示装置に関する。
【背景技術】
【０００２】
近年、携帯機器は、軽量、薄型化の一途を辿っているため、そのような携帯機器に組み込まれる液晶表示装置についても、軽量、薄型化への要求が強まっている。
【０００３】
図３（Ａ）には、従来の液晶表示装置の構成を示す分解斜視図が示されている。また、図４には、従来の液晶表示装置の一部の構造を示す断面図が示されている。図３（Ａ）、図４に示されるように、液晶表示装置１０’は、フレーム１’と、バックライト２と、液晶パネル３’と、遮光両面テープ４’とを備えている。
【０００４】
フレーム１’は、バックライト２と、液晶パネル３’とを搭載するための矩形の枠状体であり、このフレーム１’内に、バックライト２と液晶パネル３’とが、この順番で搭載される。
【０００５】
図４に示されるように、バックライト２は、導光板２１と、各種光学フィルム群２２、２３とを備えている。光学フィルム群２２は、導光板２１の裏面に貼り付けられており、光学フィルム群２３は、導光板２１の表面に貼り付けられている。不図示のＬＥＤ等の光源から発せられた光は、導光板２１により導かれ、液晶パネル３’のほぼ全面を照明する。光学フィルム群２２は、導光板２１により導かれた光を、液晶パネル３’の方へ反射する反射フィルム群であり、光学フィルム群２３は、導光板２１により導かれた光を散乱させ、液晶パネル３’を照明する光を均一化する光学フィルム群である。
【０００６】
液晶パネル３’は、不図示の液晶層を中に挟むようにして、貼り付けられた２枚のガラス基板３１Ａ、３１Ｂを有している。液晶パネル３’は、この２枚のガラス基板３１Ａ、３１Ｂを挟む２枚の偏光板３２Ａ’、３２Ｂをさらに有している。ガラス基板３１Ａ、３１Ｂにそれぞれ形成された電極間に画素別に所望の電圧が印加されることにより、それらの間の液晶層が駆動され、バックライト２からの光が、偏光板３２Ａ’→ガラス基板３１Ａ→液晶層→ガラス基板３１Ｂ→偏光板３２Ｂを通過することにより、液晶パネル３’上に画像が表示されるようになる。
【０００７】
図３（Ａ）に戻り、遮光両面テープ４’は、バックライト２からの光が、その周囲から漏れるのを防ぐために設けられた矩形枠状の遮光膜として機能している。また、遮光両面テープ４’は、その両面が接着面となっている。まず、遮光両面テープ４’の裏側の接着面の一部は、フレーム１’の枠内に設けられた棚部１１の上面に接着され、遮光両面テープ４’の裏側（＋Ｙ側）の接着面の他の部分は、バックライト２の上面と接着されている。また、バックライト２の底面は、フレーム１’の最底の棚部１３上に位置決めされている。これにより、フレーム１’とバックライト２とが接着固定されるようになる。また、遮光両面テープ４’の表側（−Ｙ側）の接着面には、液晶パネル３’の裏側の偏光板３２Ａ’が接着されている。これにより、フレーム１’と液晶パネル３’とが接着固定されるようになる。なお、バックライト２の上面には、各種光学フィルム群２３が貼り付けられているため、遮光両面テープ４’は、その光学フィルム群２３を固定する機能も果たしている。
【０００８】
このように、バックライト２からの漏れ光の遮光、バックライト２や液晶パネル３’の固定を１枚のテープで行うようにすれば、装置全体を薄く構成することが可能となる。
【０００９】
このような液晶表示装置１０’の組み立て工程は、クリーンルーム内で行われる。この組み立て工程では、まず、フレーム１’内に、バックライト２が組み込まれ、その上に、遮光両面テープ４’が貼られることにより、バックライト２が固定され、その後、液晶パネル３’が搭載されるようになる。そして、その組み立て工程後、検査が行われ、バックライト２と液晶パネル３’との間のチリなどの異物の混入の有無などのチェックが行われる。ここで、異物が発見された場合には、フレーム１’中に組み込まれた液晶パネル３’の交換が行われる。
【発明の開示】
【発明が解決しようとする課題】
【００１０】
しかしながら、フレーム、バックライト、液晶パネルを、１枚の遮光両面テープで固定している場合には、液晶パネルを交換する際に、遮光両面テープが液晶パネルに付着したままフレームから剥離して、バックライトの光学フィルム群やその他の構成要素を破損してしまい、液晶パネルだけでなく、バックライトや光学フィルムの交換も必要になってしまうおそれがあった。
【００１１】
本発明は、上記課題を解決するためになされたもので、液晶パネルの交換を容易に行える液晶表示装置を提供することを目的とする。
【課題を解決するための手段】
【００１２】
本発明においては、上記課題を解決するために、以下の手段を講じた。
（１）バックライトと、前記バックライトによって照明される液晶パネルと、前記バックライトと、前記液晶パネルとを、この順で搭載するフレームと、前記バックライトと前記フレームとを接着し、前記バックライトからの光が周囲から漏れるのを防止する遮光接着テープと、を備え、前記液晶パネルは、前記遮光接着テープとは別の両面テープによって前記フレームと接着されている液晶表示装置とした。
【００１３】
（２）前記液晶パネルを構成する２枚のガラス基板のうちの裏側のガラス基板が、そのガラス基板に貼り付けられた偏光板と重なり合わない領域を有し、前記両面テープは、前記重なり合わない領域に貼り付けられることにより、前記液晶パネルと前記フレームとを接着することとした。
【発明の効果】
【００１４】
上記液晶表示装置によれば、液晶パネルは、バックライトや光学フィルムなど他の構成要素を固定するテープとは、別のテープを介してフレームと接着固定されている。このため、液晶パネルを接着するテープをはがしても、バックライトや光学フィルムには影響を与えないので、それらの破損が防止される。この結果、液晶パネルの交換を容易に行うことができる。
【発明を実施するための最良の形態】
【００１５】
以下、本発明の実施形態について、図面に基づいて詳細に説明する。
【００１６】
図１（Ａ）には、本発明の一実施形態に係る液晶表示装置の上面図が示されている。図１（Ａ）に示されるように、本実施形態に係る液晶表示装置１０は、従来の液晶表示装置１０’と外見上異なる特徴はなく、その内部構造のみが異なっている。
【００１７】
図１（Ｂ）には、図１（Ａ）の液晶表示装置１０のＡ−Ａ’断面図が示されている。図１（Ｂ）に示されるように、本実施形態に係る液晶表示装置１０は、フレーム１と、バックライト２と、液晶パネル３と、遮光接着テープ４と、両面テープ５とを備えている。
【００１８】
図２（Ａ）には、図１（Ｂ）のＢで示される部分の拡大図が示されている。図２（Ａ）に示されるように、フレーム１は、バックライト２と、液晶パネル３とを搭載するためのフレームであり、バックライト２と液晶パネル３とが、この順番で搭載されるようになる。しかしながら、フレーム１には、図４のフレーム１’と異なり、棚部１３の他に、枠内に２つの段差が設けられている。この２つの段差によって形成される２つの棚を、それぞれ２つの棚部１２Ａ、１２Ｂとする。バックライト２は、図４の液晶表示装置１０’と同様に、最底の棚部１３上に位置決めされている。
【００１９】
バックライト２としては、図４の液晶表示装置１０’でも用いられていたバックライトを採用することができる。
【００２０】
液晶パネル３は、裏側の偏光板として、偏光板３２Ａ’の代わりに、偏光板３２Ａを備えている点のみが、液晶パネル３’と異なっている。図２（Ｂ）と図４とを比較するとわかるように、ガラス基板３１Ａの底面には、偏光板３２Ａと重なっていない領域が形成されている。以下では、この領域を、露出部１５と呼ぶ。
【００２１】
遮光接着テープ４は、バックライト２からの光が、その周囲から漏れるのを防ぐために設けられた矩形枠状の遮光膜としても機能している。また、遮光接着テープ４は、その下側の面のみが接着面となっている。まず、裏側の接着面の一部分が、フレーム１の２つの棚部１２Ａ、１２Ｂのうち、下段の棚部１２Ａの上面に接着され、裏側の接着面の他の部分が、バックライト２の上面と接着されている。前述のように、バックライト２は、最底の棚部１３上に位置決めされているため、この遮光接着テープ４により、フレーム１とバックライト２とが接着固定されるようになる。
【００２２】
なお、バックライト２の上面には、各種光学フィルム群２３が貼り付けられているため、遮光接着テープ４は、その光学フィルム群２３を固定する機能も果たしている。しかしながら、遮光接着テープ４の上側の面は、接着面とはなっていないため、液晶パネル３と遮光接着テープ４とは接着されることはなく、ただ接しているのみとなっている。
【００２３】
両面テープ５は、その両面が接着面となっている。まず、両面テープ５の裏側の接着面は、フレーム１の棚部１２Ａ、１２Ｂのうち上段の棚部１２Ｂの上面に接着される。また、両面テープ５の表側の接着面には、液晶パネル３の裏側のガラス基板３１Ａの露出部１５が接着される。これにより、フレーム１と液晶パネル３とが接着固定されるようになる。
【００２４】
本実施形態に係る液晶表示装置１０の組み立て工程においては、まず、フレーム１内に、バックライト２が組み込まれ、その上に、遮光接着テープ４が貼られて、バックライト２が接着固定される。その後、両面テープ５がフレーム１の棚部１２Ｂ上に貼られ、その上に液晶パネル３が、ガラス基板３１Ａの露出部１５に両面テープ５が接着されるように置かれて固定される。
【００２５】
そして、その組み立て工程後、液晶表示装置１０に関する検査が行われる。この検査では、液晶パネル３が正しく設置されたか、又は、バックライト２と液晶パネル３との間に異物が混入していないか、などのチェックが行われる。ここで、液晶パネル３が正しく固定されていなかったり、内部に異物が発見された場合には、作業者は、両面テープ５を剥がして、液晶パネル３を交換する。図２（Ｂ）には、液晶パネル３が、フレーム１から取り外された状態が示されている。図２（Ｂ）に示されるように、液晶パネル３が両面テープ５とともに取り外されたとしても、遮光接着テープ４によって接着固定されたフレーム１及び光学フィルム群２３は、そのままの状態となっている。作業者は、液晶パネル３を取り外した後、フレーム１の内部や、液晶パネル３を洗浄するなどした後、代わりの両面テープ５を用いて、液晶パネル３を再度接着固定する。
【００２６】
以上詳細に説明したように、本実施形態によれば、液晶パネル３は、バックライト２やその光学フィルム群２３など他の構成要素を固定する遮光接着テープ４とは、別の両面テープ５を介してフレーム１と接着固定されているため、液晶パネル３を接着するテープをはがしても、バックライト２や光学フィルム２３には、影響を与えないため、それらの破損が防止される。これにより、作業者は、バックライト２等の光学機能を損なわずに、液晶パネル３の交換を容易に行うことができる。
【００２７】
また、このように、液晶パネル３のみをリペア可能とすれば、仕損費を減少させることができるようになるため、製造コストを削減することができるようになる。
【００２８】
また、本実施形態によれば、液晶パネル３の裏側のガラス基板３１Ａと、裏側の偏光板３２Ａとの間に重ならない領域（露出部１５）を設け、その露出部１５を用いて、液晶パネル３とフレーム１とを接着した。この結果、液晶パネル３とフレーム１とを接着するテープを追加しても、装置全体の厚みを厚くしないようにすることができる。
【００２９】
勿論、液晶表示装置の厚みの許容値が大きい場合には、液晶パネル３に代えて、液晶パネル３’を用い、両面テープ５を液晶パネル３のガラス基板３１Ａに接着するようにしてもよい。この場合には、液晶パネル３に露出部１５を設ける必要はない。また、フレーム１に２つの棚部１２Ａ、１２Ｂを設ける必要はなく、棚部は１つあればよい。
【００３０】
なお、上記実施形態では、両面テープ５の厚みを、偏光板３２Ａとほぼ同じ厚みのものとしているが、棚部１２Ｂの高さを高くすれば、両面テープ５の厚みをもっと薄くすることが可能である。また、両面テープ５として、ＰＥＴ材からなるスペーサと、その上限面に、両面テープが貼り付けられたもの又は接着剤が塗布されたものを用いることができる。
【００３１】
なお、上記実施形態では、遮光接着テープ４を、片面接着テープとしたが、上面側を、作業者が楽に剥がせるような微粘着の接着面とし、下面側の強粘着の接着面とする両面テープを用いるようにしてもよい。
【図面の簡単な説明】
【００３２】
【図１】図１（Ａ）は、本発明の一実施形態に係る液晶表示装置の構成を示す上面図であり、図１（Ｂ）は、図１（Ａ）のＡ−Ａ’断面図である。
【図２】図２（Ａ）は、図１（Ｂ）の部分Ｂの拡大図であり、図２（Ｂ）は、液晶パネルを取り外したときの図である。
【図３】図３（Ａ）は、従来の液晶表示装置の構成を示す分解斜視図であり、図３（Ｂ）、図３（Ｃ）は、従来の液晶表示装置の組み立て順を説明するための図である。
【図４】従来の液晶表示装置の構造を示す断面図である。
【符号の説明】
【００３３】
１、１’  フレーム
２  バックライト
３、３’  液晶パネル
４  遮光接着テープ
４’  遮光両面テープ
５  両面テープ
１０、１０’  液晶表示装置
１１  棚部
１２Ａ、１２Ｂ  棚部
１３  棚部
１５  露出部
２１  導光板
２２、２３  光学フィルム群
３１Ａ、３１Ｂ  ガラス基板
３２Ａ、３２Ｂ、３２Ａ’  偏光板
【図１】
2008203444.tif 000003
【図２】
2008203444.tif 000004
【図３】
2008203444.tif 000005
【図４】
2008203444.tif 000006